(57)【要約】【課題】低コストにて製造が可能であって収納の自由度が高い、価格及び利便性の両面において優れたシステム手帳用収納具を提供すること。【解決手段】本考案によるシステム手帳用収納具１０は、Ｎ（Ｎは二以上の整数）個のリング２３〜２８を有するシステム手帳に綴じるためのシステム手帳用収納具であって、一以上の開口部１２と、Ｎ個の綴じ穴１３〜１８とを有し、前記Ｎ個のリングの全てを前記Ｎ個の綴じ穴に通して前記システム手帳を閉じたときに、一以上の開口部１２がシステム手帳の外部に出た状態となるシステム手帳用収納具である。システム手帳用収納具１０は、システム手帳２０を閉じた状態に保つための留め具２２を通すことができる留め具用切り欠き１１をさらに有していてもよい。【選択図】図２
0003110788.tif 000002
【実用新案登録請求の範囲】
【請求項１】
Ｎ（Ｎは二以上の整数）個のリングを有するバインダーファイルに綴じるための収納具であって、
一以上の開口部と、Ｎ個の綴じ穴とを有し、
前記Ｎ個のリングの全てを前記Ｎ個の綴じ穴に通して前記バインダーファイルを閉じたときに、前記一以上の開口部がバインダーファイルの外部に出た状態となる、収納具。
【請求項２】
前記バインダーファイルがシステム手帳である、請求項１に記載の収納具。
【請求項３】
前記バインダーファイルを閉じた状態に保つための留め具を通すことができる留め具用切り欠きをさらに有する、請求項１又は２に記載の収納具。
【考案の詳細な説明】
【技術分野】
【０００１】
本考案は、バインダーファイル及びその附属品に関し、特に、システム手帳及びその附属品に関する。
【背景技術】
【０００２】
差し込まれたページの入れ替えが可能なバインダー式のシステム手帳は広く使用されているが、このシステム手帳に収納部があれば、携帯電話や小物類を入れておくことができて便利である。
【０００３】
従来より、表紙に収納部を付加したシステム手帳や、システム手帳に綴じ込むタイプの収納具が公表されているが、構成が複雑であったり、特定の形状の物品しか収納できないものが多いため、価格及び利便性の両面において優れているといえるものは少ない。
【特許文献１】実登第３０６７４８０号公報
【考案の開示】
【考案が解決しようとする課題】
【０００４】
本考案が解決しようとする課題は、低コストにて製造が可能であって収納の自由度が高い、価格及び利便性の両面において優れたシステム手帳用収納具を提供することである。
【課題を解決するための手段】
【０００５】
本考案による収納具は、Ｎ（Ｎは二以上の整数）個のリングを有するバインダーファイルに綴じるための収納具であって、一以上の開口部と、Ｎ個の綴じ穴とを有し、前記Ｎ個のリングの全てを前記Ｎ個の綴じ穴に通して前記バインダーファイルを閉じたときに、前記一以上の開口部がバインダーファイルの外部に出た状態となることにより、上記課題を解決する。
【０００６】
前記バインダーファイルはシステム手帳であってもよい。
【０００７】
前記収納具は、前記バインダーファイルを閉じた状態に保つための留め具を通すことができる留め具用切り欠きをさらに有していてもよい。
【考案の効果】
【０００８】
本考案のシステム手帳用収納具は、袋状の部材に複数の穴及び切り欠きを設けただけの単純な構成であるため、低コストによる製造が可能である。また、収納部に収納される物品の形状を制限する構造は含まれていないため、収納の自由度の高いシステム手帳用収納具が提供される。
【考案を実施するための最良の形態】
【０００９】
以下、図面を参照しながら本考案の実施の形態について説明する。本考案による収納具は、複数のリングにより用紙を綴じて利用する各種バインダーファイルにおいて利用可能なものであるが、説明の便宜のため、以下においては本考案による収納具の一例であるシステム手帳用収納具について説明する。なお、本明細書においては、「バインダーファイル」の語は広義のバインダーファイルであるシステム手帳を含むものとする。
【実施例１】
【００１０】
図１Ａは、本考案によるシステム手帳用収納具１０の平面図である。システム手帳用収納具１０は、紙、布、合成樹脂又は皮革等の柔軟な材質により形成された袋状の部材である。システム手帳用収納具１０は、上面と底面を含む二重構造を有し、四辺において上面と底面が連続し、又は接着若しくは圧着されている。システム手帳用収納具１０は、一体成形により製造されていてもよい。
【００１１】
図１Ａに示される通り、システム手帳用収納具１０の上面には、留め具用切り欠き１１と、開口部１２と、綴じ穴１３〜１８が設けられている。留め具用切り欠き１１と綴じ穴１３〜１８は底面まで貫通しているが、開口部１２は上面のみに設けられる。図１Ｂは、システム手帳用収納具１０の底面図である。
【００１２】
図２は、システム手帳用収納具１０の使用状態を示す図である。図２に示すシステム手帳２０は、留め具２２と、リング２３〜２８と、手帳用紙２９を備えている。留め具用切り欠き１１は、システム手帳２０の留め具２２を通すために設けられた穴である。留め具２２は、システム手帳２０を閉じた時に表紙を留めておくことにより、システム手帳２０を閉じた状態に保つための部品であるが、例えば図２に示すようにペン２１などを保持することもできる。
【００１３】
綴じ穴１３〜１８はそれぞれリング２３〜２８を通すための穴であり、綴じ穴１３〜１８にリング２３〜２８を通した状態でリング２３〜２８を固定することにより、図２に示すようにシステム手帳用収納具１０をシステム手帳２０に綴じることができる。なお、手帳用紙２９は、システム手帳用収納具１０と同様にリング２３〜２８によりシステム手帳２０に綴じられている。
【００１４】
開口部１２は、システム手帳用収納具１０の内部に携帯電話や小物類などの収納対象物を入れるためのものであり、図２の例では、収納対象物は開口部１２の右側の部分に収納される。図２に示す通り、システム手帳用収納具１０がリング２３〜２８によりシステム手帳に綴じられた状態においては、開口部１２はシステム手帳２０の外部に出た状態となる。
【００１５】
図３は、システム手帳用収納具１０の使用中にシステム手帳を閉じた状態を示す図である。図３に示すように、システム手帳２０は留め具用切り欠き１１を通った留め具２２により閉じた状態に保たれている。システム手帳２０を閉じた状態においては、システム手帳用収納具１０はシステム手帳２０の外部に出た状態となる。前記状態においても、開口部１２を介して収納対象物をシステム手帳用収納具１０に出し入れすることが可能である。
【００１６】
システム手帳２０が閉じられた状態においては、システム手帳用収納具１０のうちシステム手帳２０の外部に出た部分を折り曲げてシステム手帳に重ね合わせ、そのまま携帯することが可能である。なお、システム手帳用収納具１０に収納対象物が収納されていない状態においては、システム手帳用収納具１０を折り畳んでからシステム手帳２０を閉じることにより、システム手帳用収納具１０がシステム手帳２０の外部に出ないようにすることができるのは自明である。
【実施例２】
【００１７】
図４は、本考案の別の実施形態によるシステム手帳用収納具４０の平面図を示す。システム手帳用収納具４０の材質は、実施例１のシステム手帳用収納具１０と同様である。また、システム手帳用収納具４０は、システム手帳用収納具１０と同様に上面と底面を含む二重構造を有し、その外辺に沿って上面と底面が連続し、又は接着若しくは圧着されている。
【００１８】
図４に示される通り、システム手帳用収納具４０の上面には、留め具用切り欠き４１と、開口部４２と、綴じ穴４３〜４８が設けられている。留め具用切り欠き４１と綴じ穴４３〜４８は底面まで貫通しているが、開口部４２は上面のみに設けられる。留め具用切り欠き４１、開口部４２及び綴じ穴４３〜４８の機能は、実施例１の留め具用切り欠き１１、開口部１２及び綴じ穴１３〜１８の機能とそれぞれ同一であるため説明を省略する。
【００１９】
システム手帳用収納具４０は、図２及び図３に示すシステム手帳２０に装着されたとき、収納部分が横方向ではなく上方向に出た状態となる。そのため、システム手帳２０を閉じた状態においても開口部４２を介して収納対象物をシステム手帳用収納具４０に出し入れすることが可能である。
【００２０】
システム手帳２０が閉じられた状態においては、システム手帳用収納具４０のうちシステム手帳２０の外部に出た部分を折り曲げてシステム手帳２０に重ね合わせ、そのまま携帯することが可能である。なお、システム手帳用収納具４０に収納対象物が収納されていない状態においては、システム手帳用収納具４０を折り畳んでからシステム手帳２０を閉じることにより、システム手帳用収納具４０がシステム手帳２０の外部に出ないようにすることができるのは自明である。
【００２１】
以上の実施例においては、特定の留め具用切り欠き、開口部及び綴じ穴の個数及び配置を有するシステム手帳用収納具を開示したが、システム手帳の構造に合わせて留め具用穴、開口部及び綴じ穴の個数及び配置に変更があっても本考案の範囲に含まれることは自明である。また、一般的なシステム手帳よりも大型又は小型のバインダーファイルについても、システム手帳用収納具のサイズを変更することにより、本考案を適用した収納具を提供することが可能である。
【産業上の利用可能性】
【００２２】
バインダー式のシステム手帳に利用することが可能である。また、システム手帳以外のバインダーファイルにも利用することができる。
【図面の簡単な説明】
【００２３】
【図１Ａ】本考案によるシステム手帳用収納具の平面図である。
【図１Ｂ】本考案によるシステム手帳用収納具の底面図である。
【図２】本考案によるシステム手帳用収納具の使用状態を示す図である。
【図３】システム手帳用収納具の使用中にシステム手帳を閉じた状態を示す図である。
【図４】本考案の別の実施形態によるシステム手帳用収納具の平面図である。
【符号の説明】
【００２４】
１０，４０  システム手帳用収納具
１１，４１  留め具用切り欠き
１２，４２  開口部
１３〜１８，４３〜４８  綴じ穴
２０  システム手帳
２１  ペン
２２  留め具
２３〜２８  リング
２９  手帳用紙
【図１Ａ】
0003110788.tif 000003
【図１Ｂ】
0003110788.tif 000004
【図２】
0003110788.tif 000005
【図３】
0003110788.tif 000006
【図４】
0003110788.tif 000007